(57)【要約】【課題】専用のワンタッチダイヤルボタンを用いることなく、ワンタッチダイヤル機能を実現すること。【解決手段】各ボタンＤ１〜Ｄ９の操作に伴う操作時間の長短を判別回路１１〜１９で判別し、ボタンＤｉの押し下げ時間が０．５秒以上のときには、ワンタッチダイヤル発信信号を、０．５秒未満のときにはダイヤル発信信号を出力し、ワンタッチダイヤル発信信号が出力された場合、登録電話番号レジスタ２１〜２９に記憶されている電話番号が選択回路３１によって選択され、この電話番号が結合回路４１を介して発信レジスタ４４にセットされ、ダイヤル発信信号が出力されたときには、ボタンＤｉに応じたダイヤル発信信号が交換回路４２でコードに変換され、変換されたコードが発信レジスタ４４に順次セットされる。【選択図】図１
0003118946.tif 000002
【実用新案登録請求の範囲】
【請求項１】
登録された複数の電話番号を記憶する電話番号記憶手段と、複数のダイヤルバッドの各ボタンの操作時間を判別してダイヤル発信信号またはワンタッチダイヤル発信信号を出力する判別手段と、前記ワンタッチダイヤル発信信号に応じた電話番号を前記電話番号記憶手段から選択する選択手段と、前記選択手段により選択された電話番号に関する信号または前記ダイヤル発信信号に応じた電話番号に関する信号を発信する信号発信手段とを備えてなる多機能電話機。
【請求項２】
登録された複数の電話番号を記憶する電話番号記憶手段と、複数のダイヤルバッドの各ボタンの操作を判別して第１の判別信号または第２の判別信号を出力する判別手段と、前記第１の判別信号をコードに変換する変換手段と、短縮ダイヤルボタンの操作に応答して、前記変換手段の変換によるコードを選択して記憶するコード選択記憶手段と、前記第２の判別信号をカウントしてカウント値が指定の桁に達したときに短縮ダイヤル入力終了信号を出力する桁間時間計数手段と、前記短縮ダイヤルボタンが操作されてから前記短縮ダイヤル入力終了信号が出力されるまでを選択時間として、前記コード選択記憶手段に記憶されたコードに対応した電話番号を前記電話番号記憶手段から選択する電話番号選択手段と、前記電話番号選択手段の選択による電話番号を短縮ダイヤル時の信号として、前記変換手段の変換によるコードに応じた電話番号をダイヤル発信時の信号として発信する発信手段とを備えてなる多機能電話機。
【考案の詳細な説明】
【技術分野】
【０００１】
本考案は、多機能電話機に係り、特に、マルチボタン電話機などとして用いることができる多機能電話機に関する。
【背景技術】
【０００２】
従来、多機能電話機は、テンキー、「＊」キーおよび「＃」キーの合計１２個のキーに対応したプッシュボタン信号を送出することで、相手端末と通信できるようになっている（特許文献１参照）。
【特許文献１】特開２００１−２８５４１１号公報
【考案の開示】
【考案が解決しようとする課題】
【０００３】
しかし、従来の多機能電話機に付加されているワンタッチダイヤル機能では、専用ボタンの“ワンタッチ”で相手電話番号、例えば、０１２１２２６９１８９０を自動的に発信するに際して、専用のボタンを必要とするため、電話機のフェースレイアトが複雑になり、価格上昇を招いていた。
【０００４】
また、従来の多機能電話機に付加されていた短縮ダイヤル機能では、例えば、[短縮ダイヤル専用ボタン]＋１＋８などとボタンやキーを操作しなければ、電話番号を発信することができない。このため、キー「１」からキー「８」への指の移動が必要となり、いわゆる“フィンガーローミング”の合計距離が長くなり、ブラインドタッチも困難であった。
【０００５】
本考案の主要な目的は、前記従来技術の課題に鑑みて為されたものであり、必要な機能を簡単なキー操作で実現できる電話機を提供する事にある。本考案の第２目的は、専用のワンタッチダイヤルボタンを用いることなく、ワンタッチダイヤル機能を実現可能な電話機を提供することにある。本考案の第３の目的は、簡単なキー操作で短縮ダイヤル機能を実現可能な電話機を提供することにある。
【課題を解決するための手段】
【０００６】
前記目的を達成するために、本考案は、登録された複数の電話番号を記憶する電話番号記憶手段と、複数のダイヤルバッドの各ボタンの操作時間を判別してダイヤル発信信号またはワンタッチダイヤル発信信号を出力する判別手段と、前記ワンタッチダイヤル発信信号に応じた電話番号を前記電話番号記憶手段から選択する選択手段と、前記選択手段により選択された電話番号に関する信号または前記ダイヤル発信信号に応じた電話番号に関する信号を発信する信号発信手段とを備えてなる多機能電話機を構成したものである。
【０００７】
この構成によれば、複数のダイヤルバッドの各ボタンの操作時間を判別してダイヤル発信信号またはワンタッチダイヤル発信信号を出力し、ダイヤル発信信号に応じた電話番号またはワンタッチダイヤル発信信号に応じた電話番号に関する信号を発信するようにしたため、専用のワンタッチダイヤルボタンを用いることなく、ワンタッチダイヤル機能を実現することができる。
【０００８】
また、本考案は、他の目的を達成するために、登録された複数の電話番号を記憶する電話番号記憶手段と、複数のダイヤルバッドの各ボタンの操作を判別して第１の判別信号または第２の判別信号を出力する判別手段と、前記第１の判別信号をコードに変換する変換手段と、短縮ダイヤルボタンの操作に応答して、前記変換手段の変換によるコードを選択して記憶するコード選択記憶手段と、前記第２の判別信号をカウントしてカウント値が指定の桁に達したときに短縮ダイヤル入力終了信号を出力する桁間時間計数手段と、前記短縮ダイヤルボタンが操作されてから前記短縮ダイヤル入力終了信号が出力されるまでを選択時間として、前記コード選択記憶手段に記憶されたコードに対応した電話番号を前記電話番号記憶手段から選択する電話番号選択手段と、前記電話番号選択手段の選択による電話番号を短縮ダイヤル時の信号として、前記変換手段の変換によるコードに応じた電話番号をダイヤル発信時の信号として発信する発信手段とを備えてなる多機能電話機を構成したものである。
【０００９】
この構成によれば、複数のダイヤルバッドの各ボタンの操作を判別して第１の判別信号または第２の判別信号を出力し、第１の判別信号をコードに変換して、コードに応じた電話番号をダイヤル発信時の信号として発信し、短縮ダイヤルボタンが操作されたときには、各ボタンの操作に応じたコードを記憶するとともに、第２の判別信号を各ボタンの操作回数としてカウントし、このカウント値が指定の桁に達したときに短縮ダイヤル入力終了信号を出力し、短縮ダイヤルボタンが操作されてから短縮ダイヤル入力終了信号が出力されるまでを選択時間として、コードに対応した電話番号を電話番号記憶手段から選択し、選択した電話番号を短縮ダイヤル時の信号として発信するようにしたため、簡単なキー操作で短縮ダイヤル機能を実現することができる。
【考案の効果】
【００１０】
本考案によれば、専用のワンタッチダイヤルボタンを用いることなく、ワンタッチダイヤル機能を実現することができ、また、簡単なキー操作で短縮ダイヤル機能を実現することができる。
【考案を実施するための最良の形態】
【００１１】
以下、本考案の一実施の形態を図面に基づいて説明する。図１は、本考案の第１実施例を示すブロック図である。
【００１２】
図１において、多機能電話機１０は、電話番号を入力するためのダイヤルパッドのボタンＤ１〜Ｄ９、判別回路１１〜１９、登録電話番号レジスタ（ＯＴＤＲ）２１〜２９、選択回路３１〜３９、結合回路４１、変換回路４２、順序回路４３、発信レジスタ４４を備えて構成されている。なお、本実施例では、説明の便宜上ボタンの数が９個の場合について説明する。
【００１３】
ボタンＤ１〜Ｄ９が押し下げられると、各ボタンＤ１〜Ｄ９からは各ボタンに対応したボタン押し信号が判別回路１１〜１９に出力される。各判別回路１１〜１９は、ボタン押し信号に応答して、各ボタンＤ１〜Ｄ９の操作に伴う操作時間の長短を判別し、この判別結果に従ってワンタッチダイヤル発信信号またはダイヤル発信信号を出力する判別手段として構成されている。例えば、いずれかのボタンＤｉが押し下げられ、この押し下げ時間が０．５秒以上のときには、判別回路１１〜１９のうちボタンＤｉに対応した判別回路からワンタッチダイヤル発信信号が出力され、押し下げ時間が０．５秒未満のときには、ボタンＤｉに対応した判別回路からダイヤル発信信号が出力されるようになっている。
【００１４】
具体的には、各判別回路１１〜１９は、図２に示すように、遅延回路５１、５２、微分回路５３、長押し検出回路５４、論理回路５５、５６を備えて構成されている。遅延回路５１は入力信号を０．１秒遅延させ、遅延回路５２は、入力信号を１．０秒遅延させるようになっている。
【００１５】
まず、ダイヤル発信時には、図３に示すように、ボタン押し下げ信号Ａとして０．５秒未満の信号が判別回路１１〜１９に入力されると、信号Ａは、０．１秒遅延して、遅延回路５１から信号Ｂとして出力されるともに、微分回路５３に信号Ａ”として入力される。信号Ｂは遅延回路５２で１．０秒遅延して、信号Ｄとして長押し検出回路５４に入力される。このとき、微分回路５３からは信号Ｃが出力され、長押し検出回路５４の出力（信号）Ｅは、長押しでないとして、“０”に保たれる。この結果、信号Ｃと信号Ｅ”との論理積として、論理回路５６から“１”のダイヤル発信信号ＤＤが出力される。
【００１６】
一方、ワンタッチダイヤル発信時には、図４に示すように、ボタン押し下げ信号Ａとして０．５秒以上の信号が判別回路１１〜１９に入力されると、信号Ａは、０．１秒遅延して、遅延回路５１から信号Ｂとして出力されるともに、微分回路５３に信号Ａ”として入力される。信号Ｂは遅延回路５２で１．０秒遅延して、信号Ｄとして長押し検出回路５４に入力される。このとき、微分回路５３からは信号Ｃが出力され、長押し検出回路５４の出力（信号）Ｅは、長押しであるとして、“０”から“１”に反転する。この結果、信号Ｃと信号Ｅとの論理積として、論理回路５５から“１”のワンタッチダイヤル発信信号ＯＴが出力される。
【００１７】
ここで、例えば、判別回路１１からワンタッチダイヤル発信信号ＯＴが出力された場合、登録電話番号レジスタ（ＯＴＤＲ）２１に記憶されている電話番号が選択回路３１によって選択され、選択された電話番号が結合回路４１を介して発信レジスタ４４に順次転送される。発信レジスタ４４には、転送された電話番号に関するデータが最上位の位置から順次セットされる。全てのデータがセットされると、発信レジスタ４４から指定の端末に電話番号に関する信号が転送される。
【００１８】
一方、判別回路１１からダイヤル発信信号ＤＤが出力されたときには、ボタンＤ１に応じたダイヤル発信信号ＤＤが変換回路４２でコードに変換され、変換されたコードが発信レジスタ４４に順次セットされる。全てのコードがセットされると、発信レジスタ４４から指定の端末に電話番号に関する信号が転送される。
【００１９】
本実施例によれば、専用のワンタッチダイヤルボタンを用いることなく、ダイヤルパッドを利用することで、ワンタッチダイヤル機能を実現することができる。
【００２０】
次に、本考案の第２実施例を図５に基づいて説明する。本実施例は、ダイヤルパッドのボタンＤ１〜Ｄ９を利用して、短縮ダイヤル機能を実現するものである。
【００２１】
図５において、多機能電話機１０は、電話番号を入力するためのダイヤルパッドのボタンＤ１〜Ｄ９、判別回路１１〜１９、短縮電話番号レジスタ（ＳＤＲ）６１〜６９、選択回路３１〜３９、結合回路４１、変換回路４２、切替え回路４５、順序回路４３、発信レジスタ４４、選択回路７１、桁間時間カウンタ７２、ＳＤボタン７３、整形回路７４、レジスタ７５、選択回路７６を備えて構成されている。桁間時間カウンタ７２は、例えば、入力信号に応答して、信号が入力されるごとに０からクロックパルスのカウントを開始し、桁間の時間がある値、例えば、０．５秒以上の場合に短縮ダイヤル終了信号を出力するリセット式カウンタまたは計数判定回路を用いて構成されている。なお、本実施例においても、説明の便宜上ボタンの数が９個の場合について説明する。
【００２２】
ＳＤボタン７３が押し下げられていないときには、ダイヤル発信モードになり、ＳＤボタン７３が押し下げられると、ＳＤボタン７３から出力される信号が整形回路７４で波形整形されてレジスタ７５がセットされ、短縮ダイヤルモードとなる。
【００２３】
ダイヤル発信モードのときに、いずれかのボタンＤｉが押し下げられ、この押し下げ時間が０．５秒以上のときには、判別回路１１〜１９のうちボタンＤｉに対応した判別回路から第１の判別信号が出力され、押し下げ時間が０．５秒未満のときには、ボタンＤｉに対応した判別回路から第２の判別信号が出力される。ここで、判別回路１１から第１の判別信号（ダイヤル発信信号）が出力されたときには、ボタンＤ１に応じたダイヤル発信信号が交換回路４２でコードに変換され、変換されたコードが切替え回路４５、順序回路４３を介して発信レジスタ４４に順次セットされる。全てのコードがセットされると、発信レジスタ４４から指定の端末に電話番号に関する信号が転送される。
【００２４】
一方、短縮ダイヤルモードのときに、例えば、ボタンＤ１が押し下がられ、判別回路１１から第１の判別信号が出力されたときには、ボタンＤ１に応じた判別信号が交換回路４２でコードに変換され、変換されたコードが切替え回路４５、選択回路（コード記憶手段）７６にボタン情報として順次記憶される。この間、図６に示すように、判別回路１１の出力による第２の判別信号が選択回路７１を介して桁間時間カウンタ７２に入力され、ボタンＤ１の押し下げ回数がカウントされる。そして、桁間時間カウンタ７２の計数値が設定時間以上、例えば、０．５秒以上になって、２桁になると、桁間時間カウンタ７２から選択回路７６に短縮ダイヤル終了信号が出力される。このとき、選択回路３１〜３９では、ＳＤボタン７３が操作されてから短縮ダイヤル終了信号が出力されるまでを選択時間として、２桁のコードを解釈して、該当する短縮電話番号を短縮電話番号レジスタ６１〜６９から選択し、選択した電話番号に関するデータを結合回路４１を介して発信レジスタ４４に順次転送する。発信レジスタ４４に全てのデータがセットされると、発信レジスタ４４から指定の端末に電話番号に関する信号が転送される。
【００２５】
本実施例によれば、簡単なキー操作で短縮ダイヤル機能を実現することができるとともに、時間差を識別信号に使用することで、装置の簡略化と操作の容易化を図ることができる。
【００２６】
また、本実施例によれば、多重クリックの間の許容時間のタイムオーバーによって入力の完了を識別して発信することができる。
【００２７】
本実施例においては、ＳＤボタン７３を専用ボタンとすると、例えば、以下に示すように、ボタンＤ１〜Ｄ９（番号１〜９）と専用ボタンとを組み合わせることで、ブラインドタッチに近い操作が可能となる。
【００２８】
専用ボタン＋１                            ＡＡＡ  Ｃｏ．代表
専用ボタン＋１＋１                        ＡＡＡ  Ｃｏ．営業
専用ボタン＋１＋１＋１                    ＡＡＡ  Ｃｏ．技術
専用ボタン＋２                            ＢＢＢ  Ｃｏ．田中
専用ボタン＋２＋２                        ＢＢＢ  Ｃｏ．鈴木
専用ボタン＋９                            家
専用ボタン＋９＋９                        父携帯
専用ボタン＋９＋９＋９                    兄携帯
また、本実施例においては、ダブルクリックなどのＰＣ（パーソナルコンピュータ）環境でのキー操作を利用することで、キー操作の容易化を図ることもできる。
【００２９】
また、応用例としては、例えば、シングルライン対応の１０個のワンタッチダイヤルボタンをラインキーと機能ボタンに転用することで、軽微な変更でマルチラインＩＰ電話機を実現できる。さらに、新しく利用できる機能ボタンを発信履歴などの機能に割り当て、操作のためのキーストロークの数を大幅に削減でき、より優れた操作性が実現できる。
【図面の簡単な説明】
【００３０】
【図１】本考案の第１実施例を示す多機能電話機のブロック図。
【図２】判別回路の回路構成図。
【図３】ダイヤル発信時の作用を説明するためのタイムチャート。
【図４】ワンタッチ発信時の作用を説明するためのタイムチャート。
【図５】本考案の第２実施例を示す多機能電話機のブロック図。
【図６】桁間時間カウンタの動作を説明するためのタイムチャート。
【符号の説明】
【００３１】
１０  多機能電話機
１１〜１９  判別回路
２１〜２９  登録電話番号レジスタ
３１〜３９  選択回路
４１  結合回路
４２  交換回路
４３  順序回路
４４  発信レジスタ
４５  切り替え回路
６１〜６９  短縮電話番号レジスタ
７２  桁間時間カウンタ
７５  レジスタ
【図１】
0003118946.tif 000003
【図２】
0003118946.tif 000004
【図３】
0003118946.tif 000005
【図４】
0003118946.tif 000006
【図５】
0003118946.tif 000007
【図６】
0003118946.tif 000008